(57)【要約】【課題】幅木が差し込みやすい足場用幅木取付金具を提供すること。【解決手段】本発明は、仮設足場に幅木２１を取り付けるための足場用幅木取付金具１である。足場用幅木取付金具１は、垂直断面が略コの字状で、水平足場支柱２３の形状に沿った凹部５ａ，５ｂを下部に有する幅木挿入溝２と、幅木挿入溝２の一面に配置されており、かつ垂直足場支柱２０に引っ掛けられるように屈曲又は湾曲した第１の引っ掛け部３と、幅木挿入溝２の一面に配置されており、かつ第１の引っ掛け部３とは逆の方向に屈曲又は湾曲した第２の引っ掛け部４とを備える。幅木挿入溝２は、上辺部分が外側に屈曲する屈曲部７を含む。【選択図】図２
2010281105.tif 000002
【特許請求の範囲】
【請求項１】
仮設足場に幅木を取り付けるための足場用幅木取付金具であって、
垂直断面が略コの字状で、水平足場支柱の形状に沿った凹部を下部に有する幅木挿入溝と、
前記幅木挿入溝の一面に配置されており、かつ垂直足場支柱に引っ掛けられるように屈曲又は湾曲した第１の引っ掛け部と、
前記幅木挿入溝の前記一面に配置されており、かつ前記第１の引っ掛け部とは逆の方向に屈曲又は湾曲した第２の引っ掛け部とを備え、
前記幅木挿入溝は、前記一面と対向する面の上辺部分が外側に屈曲する屈曲部を含むことを特徴とする、足場用幅木取付金具。
【請求項２】
幅木挿入溝は、溝を二つに仕切る仕切部を含むことを特徴とする、請求項１に記載の足場用幅木取付金具。
【請求項３】
さらに、幅木挿入溝に対して略垂直に配置された垂直差込溝を備えることを特徴とする、請求項１又は２に記載の足場用幅木取付金具。
【請求項４】
前記幅木挿入溝は、前記一面に、凹部から伸びる溝部を含むことを特徴とする、請求項１〜３のいずれかに記載の足場用幅木取付金具。
【発明の詳細な説明】
【技術分野】
【０００１】
本発明は、仮設足場における足場板の側縁又は周縁開放部に沿ってせき止め用幅木を取り付けるための幅木取付金具に関する。
【背景技術】
【０００２】
仮設足場に対する幅木を取り付けるための金具として、特許文献１に記載の金具が存在する。特許文献１に記載の幅木取付金具は、上下一対のＵ字状保持片（３１，３１）を垂直足場支柱に引っかけることによって、幅木取付金具が左右に移動するのを防止している。また、中央Ｕ字片（５１）によって、幅木取付金具が下方に移動するのが防止される。そして、幅木差込溝（４１）に幅木（６０）が差し込まれる。これにより、幅木（６０）が足場に取り付けられる。
【先行技術文献】
【特許文献】
【０００３】
【特許文献１】特開平１０−１０２７６６号公報
【発明の概要】
【発明が解決しようとする課題】
【０００４】
特許文献１に記載の幅木取付金具において、幅木差込溝（４１）は、上部がまっすぐ垂直になっている。足場での作業スペースは限られている。そのため、このように、幅木差込溝（４１）がまっすぐ垂直になっていると、幅木が差込にくい。
【０００５】
それゆえ、本発明の目的は、幅木が差し込みやすい足場用幅木取付金具を提供することである。
【課題を解決するための手段】
【０００６】
上記課題を解決するために、本発明は、以下のような特徴を有する。本発明は、仮設足場に幅木を取り付けるための足場用幅木取付金具であって、垂直断面が略コの字状で、水平足場支柱の形状に沿った凹部を下部に有する幅木挿入溝と、幅木挿入溝の一面に配置されており、かつ垂直足場支柱に引っ掛けられるように屈曲又は湾曲した第１の引っ掛け部と、幅木挿入溝の一面に配置されており、かつ第１の引っ掛け部とは逆の方向に屈曲又は湾曲した第２の引っ掛け部とを備え、幅木挿入溝は、一面と対向する面の上辺部分が外側に屈曲する屈曲部を含むことを特徴とする。好ましくは、幅木挿入溝は、溝を二つに仕切る仕切部を含むと良い。好ましくは、足場用幅木取付金具は、さらに、幅木挿入溝に対して略垂直に配置された垂直差込溝を備えると良い。好ましくは、幅木挿入溝は、一面に、凹部から伸びる溝部を含むと良い。
【発明の効果】
【０００７】
本発明によれば、第１及び第２の引っ掛け部を設けることによって、簡単に、垂直足場支柱に足場用幅木取付金具を取り付けることができる。また、凹部によって、足場用幅木取付金具が下方にずれなくなる。さらに、幅木挿入溝が上辺部分に屈曲部を含むこととなるので、幅木を幅木挿入溝に差し込みやすくなる。
【０００８】
幅木の差込方法としては、幅木の中間部分を幅木挿入溝に挿入する方法と、幅木挿入溝に仕切部を設けて、幅木の端部を幅木挿入溝に挿入する方法とがある。適宜、幅木の長さに応じて、仕切部がない足場用幅木取付金具と、仕切部がある足場用幅木取付金具とを使い分けることができる。
【０００９】
また、垂直差込溝を設けることによって、幅木を垂直に足場に取り付けることができる。垂直差込溝を備える足場用幅木取付金具は、たとえば、足場の角部分に使用することができる。さらに、幅木挿入溝に溝部を設けることによって、足場支柱から突出する金具が設けられていたとしても、足場用幅木取付金具を仮設足場に取り付けることができる。このように、本発明の足場用幅木取付金具は、仮設足場に幅木を容易に取り付けるために利用でき、幅木の長さや幅木を取り付ける位置など、様々に取付条件が変わったとしても、適切な足場用幅木取付金具を選択して、幅木を仮設足場に取り付けることができる。
【００１０】
本発明のこれらおよび他の目的、特徴、局面、効果は、添付図面と照合して、以下の詳細な説明から一層明らかになるであろう。
【図面の簡単な説明】
【００１１】
【図１】図１は、本発明の第１の実施形態に係る足場用幅木取付金具１の斜視図である。
【図２】図２は、足場用取付金具１を仮設足場に取り付けて、幅木２１を足場用取付金具１に取り付けたときの様子を示す斜視図である。
【図３】図３は、本発明の第２の実施形態に係る足場用幅木取付金具１ａの斜視図である。
【図４】図４は、足場用取付金具１ａを仮設足場に取り付けて、幅木２１を足場用取付金具１ａに取り付けたときの様子を示す斜視図である。
【図５】図５は、本発明の第３の実施形態に係る足場用幅木取付金具１ｂの斜視図である。
【図６】図６は、足場用取付金具１ｂを仮設足場に取り付けて、幅木２１を足場用取付金具１ｂに取り付けたときの様子を示す斜視図である。
【図７】図７は、本発明の第４の実施形態に係る足場用幅木取付金具１ｃの斜視図である。
【図８】図８は、本発明の第５の実施形態に係る足場用幅木取付金具１ｄの斜視図である。
【発明を実施するための形態】
【００１２】
（第１の実施形態）
図１は、本発明の第１の実施形態に係る足場用幅木取付金具１の斜視図である。図２は、足場用取付金具１を仮設足場に取り付けて、幅木２１を足場用取付金具１に取り付けたときの様子を示す斜視図である。なお、図２において、足場板２２を水平足場支柱２３に取り付けるための金具は省略されている（以下同様）。図１において、足場用幅木取付金具１は、幅木挿入溝２と、第１の引っ掛け部３と、第２の引っ掛け部４とを備える。幅木挿入溝２は、凹部５ａ，５ｂと、溝部６と、屈曲部７とを含む。
【００１３】
幅木挿入溝２は、垂直断面が略コの字状である。凹部５ａ，５ｂは、足場用幅木取付金具１の下部に設けられており、水平足場支柱２３に沿った形状を有する。溝部６は、凹部５ｂから伸びるように形成されており、垂直足場支柱２０から突出する金具２４を入れることができる程度の幅を有する。幅木挿入溝２は、第１及び第２の引っ掛け部３，４を配置する面と対向する面の上辺部分を、外側に屈曲させることによって、屈曲部７を形成している。
【００１４】
第１の引っ掛け部３は、幅木挿入溝２において、屈曲部７が形成されている面と対向する面に配置されており、かつ、垂直足場支柱２０に外側から引っ掛けられるようにＬ字状に屈曲している。なお、第１の引っ掛け部３は、Ｕ字状など、Ｌ字状以外に屈曲又は湾曲していても良い。
【００１５】
第２の引っ掛け部４は、幅木挿入溝２において、屈曲部７が形成されている面と対向する面に配置されており、かつ、垂直足場支柱２０に外側から引っ掛けられるようにＬ字状に屈曲している。さらに、第２の引っ掛け部４は、第１の引っ掛け部３の屈曲方向とは逆の方向に屈曲している。なお、第２の引っ掛け部４は、Ｕ字状など、Ｌ字状以外に屈曲又は湾曲していても良い。
【００１６】
これにより、第１及び第２の引っ掛け部３，４が上下一対となって、足場垂直支柱２０に引っ掛けられ、足場用幅木取付金具１が左右に動くのを防止する。さらに、凹部５ａ，５ｂが垂直足場支柱２３に当接することによって、足場用幅木取付金具１が下方に移動するのが防止される。屈曲部７が外側に屈曲しているので、幅木２１を入れる間口が広がり、幅木２１を簡単に幅木挿入溝２に挿入することができる。よって、幅木２１が差し込みやすい足場用幅木取付金具１が提供されることとなる。
【００１７】
なお、第１の実施形態に係る足場用幅木取付金具１を用いた場合、幅木２１の中間部分だけでなく、幅木２１の端部でも幅木２１が仮設足場に取り付けられる。
【００１８】
（第２の実施形態）
図３は、本発明の第２の実施形態に係る足場用幅木取付金具１ａの斜視図である。図４は、足場用取付金具１ａを仮設足場に取り付けて、幅木２１を足場用取付金具１ａに取り付けたときの様子を示す斜視図である。図３及び図４において、第１の実施形態と同様の機能を有する部分については、同一の参照符号を付し、第１の実施形態と異なる部分についてのみ説明する。
【００１９】
第２の実施形態では、幅木挿入溝２の中間部分に、仕切部８が設けられている。図３及び図４に示すように、仕切部８によって形成される挿入溝部９ａ，９ｂに、幅木２１の端部が挿入される。このようにして、幅木２１が仮設足場に取り付けられる。なお、挿入溝部９ａ又は９ｂのどちらか一方にだけ、幅木２１が挿入されても良い。
【００２０】
（第３の実施形態）
図５は、本発明の第３の実施形態に係る足場用幅木取付金具１ｂの斜視図である。図６は、足場用取付金具１ｂを仮設足場に取り付けて、幅木２１を足場用取付金具１ｂに取り付けたときの様子を示す斜視図である。図５及び図６において、第１及び第２の実施形態と同様の機能を有する部分については、同一の参照符号を付し、第１及び第２の実施形態と異なる部分についてのみ説明する。
【００２１】
第３の実施形態において、足場用幅木取付金具１ｂは、さらに、幅木挿入溝２の屈曲部７側の面に、断面略コの字状の垂直差込部１０を備える。これにより、挿入溝部９ｃがさらに形成される。垂直差込部１０にも幅木（図示せず）の端部を挿入することができる。これにより、幅木を垂直に仮設足場に取り付けることができる。たとえば、足場用幅木取付金具１ｂは、仮設足場の角部分に用いられる。なお、角部分だけでなく、足場用幅木取付金具１ｂは、挿入溝部９ａ，９ｂを有するので、仮設足場の中間部分に取り付けられても良い。なお、第３の実施形態において、仕切部８が無くても良い。
【００２２】
（第４の実施形態）
図７は、本発明の第４の実施形態に係る足場用幅木取付金具１ｃの斜視図である。図７に示すように、幅木差込溝２の端部は、閉口部１１によって閉じられていても良い。
【００２３】
（第５の実施形態）
図８は、本発明の第５の実施形態に係る足場用幅木取付金具１ｄの斜視図である。図８に示すように、幅木差込溝２は、一枚の幅木の端部だけが挿入できる大きさであっても良い。当然、足場用幅木取付金具１ｄは、幅木の中間部分を固定するために用いられても良い。
【００２４】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２５】
本発明は、建設分野等において利用可能である。
【符号の説明】
【００２６】
１，１ａ，１ｂ，１ｃ，１ｄ  足場用幅木取付金具
２  幅木挿入溝
３  第１の引っ掛け部
４  第２の引っ掛け部
５ａ，５ｂ  凹部
６  溝部
７  屈曲部
８  仕切部
９ａ，９ｂ，９ｃ  挿入溝部
１０  垂直差込部
１１  閉口部
２０  垂直足場支柱
２１  幅木
２２  足場板
２３  水平足場支柱
２４  金具
【図１】
2010281105.tif 000003
【図２】
2010281105.tif 000004
【図３】
2010281105.tif 000005
【図４】
2010281105.tif 000006
【図５】
2010281105.tif 000007
【図６】
2010281105.tif 000008
【図７】
2010281105.tif 000009
【図８】
2010281105.tif 000010